【事件の表示】
　特願２０００−３４３８８６「移動通信システム、移動通信システムにおける移動局の位置登録方法および記録媒体」拒絶査定不服審判事件〔平成１４年　５月２４日出願公開、特開２００２−１５２８０３〕について、次のとおり審決する。
【結　論】
　本件審判の請求は、成り立たない。
【理　由】
第１．手続きの経緯
　　
　本願は、平成１２年１１月１０日の出願であって、平成１８年１０月１３日付けで拒絶査定がなされ、これに対して平成１８年１１月３０日に拒絶査定に対する審判が請求されるとともに、同日付けで手続補正がなされたものである。
　　
　
第２．平成１８年１１月３０日付けの手続補正について
　　
　平成１８年１１月３０日付けの手続補正は、実質的に、補正前の請求項１、３及び５を削除し、請求項１を引用する請求項２、請求項３を引用する請求項４、及び、請求項５を引用する請求項６を、それぞれ新たな請求項１、２及び３としたものであるから、平成１８年法律第５５号改正附則第３条第１項によりなお従前の例によるとされる同法による改正前の特許法第１７条の２第４項第１号に規定された請求項の削除を目的とするものであり、適法になされた補正であると認める。
　
　
第３．本願発明について
　
１．本願発明
　
　本願の請求項１に係る発明（以下、「本願発明」という。）は、平成１８年１１月３０日付け手続補正書の請求項１に記載された事項により特定される、以下のとおりのものである。
　　
　「【請求項１】　所定サービスエリアにおける移動局の新規位置登録と登録更新を行う位置管理エージェントを有する移動通信システムであって、
　前記移動局から、所定時刻における移動予定情報を前もって前記位置管理エージェントに通知する予定通知手段と、
　前記位置管理エージェントに備えられ、通知された移動局の前記移動予定情報を前記所定時刻と該時刻における移動予定先位置登録エリアと対応して登録する位置登録データベースとを備え、
　前記位置管理エージェントは、前記位置登録データベースを参照し、前記所定時刻において前記所定サービスエリア内の前記移動局の位置登録エリアを更新し、
　前記所定サービスエリア内の各位置登録エリアに、その無線チャネル数を管理するリソース管理エージェントを備え、
　前記リソース管理エージェントは、前記位置登録データベースに登録された前記移動予定情報を基に、移動元の位置登録エリアにおける無線チャネル減少数と移動先の位置登録エリアにおける無線チャネル増加数が同じになるように、前記位置管理エージェントからの指示にしたがって前記移動元および移動先の位置登録エリアに割り当てる無線チャネル数を適応的に制御し、および、
　前記予定通知手段は前記移動局に備えられた予定管理手段であり、該予定管理手段が自動的に前記移動予定情報を前記位置管理エージェントに通知する
　ことを特徴とする移動通信システム。」
　
２．引用例
　　
　原査定の拒絶の理由に引用された国際公開第９９／５６４７６号（以下、「引用例１」という。）には、図面とともに、以下の事項（ア）〜（ケ）が記載されている。
　
（ア）
「　　　　　　　　　　　Background of the Invention
　　　　In communication systems, such as cellular communication systems, the mobile users typically are required to register their locations with a nearest base station. Each base station provides cellular communication services within a limited coverage area. The coverage area may be called coverage zone. When a mobile station moves away from the coverage area, it should contemporaneously register its location with another base station that provides the cellular communication in the new area. 」（第１頁第７行〜第１４行）
　
＜訳＞
　　　　　　　　　　　　　　発明の背景
　セルラ通信システムのような通信システムでは、移動機ユーザは、典型的に、彼らの場所を最も近い基地局に登録することを要求される。各基地局は、限られたカバレッジ・エリア内においてセルラ通信サービスを提供する。カバレッジ・エリアをカバレッジ・ゾーンと呼ぶこともある。移動局が移動してカバレッジ・エリアから立ち去る場合、同時に新たなエリアにおいてセルラ通信を提供する別の基地局にその場所を登録しなければならない。
　
（イ）
「　　　　　　　　Description of the Preferred Embodiment (s)
　　　　A large number of cellular phone users are commuters. Such mobile users for example commute from home to work and back according to a regular and repetitive pre-defined plan. The pre-defined travel plan has two main components, namely a pattern of time and location. For example, between hours of six and eight in the morning, a commuter is predictably at a specific location at a given time. Therefore, based on the pre-defined travel plan, it is highly predictable to know the location of a mobile user at a specific time. A communication system that provides communication services from a plurality of base stations in a corresponding plurality of coverage areas to a mobile station includes a method of pre-registering the mobile station according to the pre- defined plan. The pre-registration of the mobile station is a substitute for a contemporaneous registration of the mobile station. As a result, the mobile station is not required to register its location with base stations providing coverage in different coverage areas, thus, conserving its battery power. Moreover, the need to handle a large number of contemporaneous registrations by the cellular communication system when mobile stations are moving from one coverage areas to another is greatly reduced. 
　　　　The pattern of time and location of the mobile station in the pre-defined plan may be based on a historical communication activities of the mobile station in the communication system. The historical communication activities may be monitored by the mobile station, at least one of the plurality of base stations, or both. The historical communication activities are analyzed through statistical methods to determine the pre-defined plan. The statistical analysis is based on a pattern of location and time of the mobile station. To communicate the pattern of location and time, the communication system allows communicating the pattern to at least one of the plurality of base stations, the mobile station, or both. 
　　　　Very often a mobile user may have several pre-defined plans. When all such possible alternative pre-defined plans have been communicated, one of the pre-defined plans is selected as the pre-defined pre-registration plan. The mobile station may select the pre-defined plan, and communicate the selected pre-defined plan to at least one of the plurality of base stations. For example, the mobile station initially is pre-registered according to a first pre-defined plan. When the mobile station is traveling according to the initial pre-defined plan, it may change course and continue its travel according to an alternative plan. At this point the mobile station communicates the alternative pre-defined plan to the base station. Alternatively, one of the plurality of base stations selects the pre-defined plan, and communicates the selected pre-defined plan to the mobile station. If the base station decides to select the alternative pre-defined plan, it may be due to the result obtained by monitoring the activity of the mobile station. 
　　　　The mobile station may be in an idle mode or an active mode while traveling according to its pre-defined plan. When the mobile station is in an active mode, the pre-defined plan of pre-registration is used to allocate resources to the mobile station in one coverage area of the plurality of coverage areas in advance of a hand-off from another coverage area of the plurality of coverage areas. The messages that are normally required to establish a resource for a call hand-off are not communicated. As a result, the invention reduces the communication overhead of the system, and eliminates possible drop calls when the mobile station is traveling at a high speed. 
　　　　More particularly, the present invention relates to telecommunication systems such as personal communication systems (PCS). Cellular and PCS systems are widely deployed and well described in related literature. Such systems consist of one or more networks of interconnected mobile switching centers (MSC) which are supported by a number of home location registers (HLR) and visitor location registers (VLR), as well as other network elements. In some systems, VLR is combined with MSC. Other systems use subscriber records stored at MSCs in lieu of information stored in HLRs. 」（第２頁第７行〜第４頁第３行）
　
＜訳＞
　　　　　　　　　　　　　好適実施例の説明
　セルラ・フォン・ユーザの大多数は、通勤者である。かかる移動機ユーザは、規則的かつ反復的な既定の計画にしたがって、例えば、自宅から仕事場に通勤し、帰宅する。既定の移動計画は、２つの主要成分、即ち、時間および場所のパターンを有する。例えば、朝６時から８時の間に、ある通勤者が特定の場所に所与の時刻にいることは予測可能である。したがって、既定の移動計画に基づけば、特定の時刻における移動機ユーザの場所は高い確率で予測可能である。対応する複数のカバレッジ・エリアにおける複数の基地局から移動局に通信サービスを提供する通信システムは、既定の計画にしたがって移動局を予め登録する方法を含む。移動局の予備登録は、移動局の同時登録の代案となる。その結果、移動局は、異なるカバレッジ・エリアにおいてカバレッジを与える基地局にその場所を登録する必要がなくなり、したがってそのバッテリ電力が保存される。更に、移動局がカバレッジ・エリア間を移動しているときにセルラ通信システムが多数の同時登録を処理する必要性は大幅に減少する。
　既定計画における移動局の時間および場所のパターンは、通信システムにおける移動局の履歴通信行動に基づくことができる。履歴通信行動は、移動局，複数の基地局の内少なくとも１箇所，または双方によって監視することができる。統計的方法によって履歴通信行動を分析し、既定計画を決定する。統計的分析は、移動局の場所および時間のパターンを基本とする。場所および時間のパターンを伝達するために、通信システムは、複数の基地局の内少なくとも１箇所，移動局，または双方にこのパターンを通信することを可能にする。
　移動機ユーザがいくつかの既定計画を有する場合は非常に多い。かかる可能な代替既定計画全てを伝達した場合、既定計画の１つを、既定予備登録計画として選択する。移動局は既定計画を選択し、選択した既定計画を複数の基地局の内少なくとも１箇所に伝達すればよい。例えば、移動局は最初に第１既定計画にしたがって予備登録される。移動局が初期既定計画にしたがって移動しているとき、経路を変更し、別の計画にしたがってその移動を継続する可能性がある。この時点において、移動局はこの別の既定計画を基地局に伝達する。あるいは、複数の基地局の内１箇所が既定計画を選択し、選択した既定計画を移動局に伝達する。基地局が別の既定計画を選択する決定を行なう場合、これは移動局の行動を監視することによって得られた結果にしたがって行なうことができる。
　移動局は、その既定計画にしたがって移動している間、アイドル・モードまたはアクティブ・モードとなる場合がある。移動局がアクティブ・モードにある場合、予備登録の既定計画を用いて、複数のカバレッジ・エリアの内別のカバレッジ・エリアからのハンド・オフに先立って、複数のカバレッジ・エリアの内１つのカバレッジ・エリアにおいて、移動局に資源を割り当てる。呼のハンド・オフのための資源を確立するために通常必要なメッセージは伝達されない。その結果、本発明は、システムの通信オーバーヘッドを低減し、移動局が高速で移動しているときに発生し得る呼の欠落を解消する。
　更に具体的には、本発明は、個人通信システム（ＰＣＳ）のような遠隔通信システムに関する。セルラおよびＰＣＳシステムは、広く展開され、関連する文献に詳しく記載されている。かかるシステムは、相互接続された移動交換局（ＭＳＣ）の１つ以上のネットワークで構成され、多数のホーム・ロケーション・レジスタ（ＨＬＲ）およびビジタ・ロケーション・レジスタ（ＶＬＲ）、ならびにその他のネットワーク・エレメントに対応する。システムによっては、ＶＬＲをＭＳＣと組み合わせている場合もある。別のシステムには、ＨＬＲに情報を格納する代わりに、ＭＳＣに加入者レコードを格納し、使用する場合もある。
　
（ウ）
「　　　　A large number of cellular and PCS phone users are commuters. Such mobile users, for example, commute from home to work and back according to fairly regular and repetitive patterns. Train commuters have typically very precise schedules; people commuting by car have more time variance in their commuting patterns, but those patterns could still be predictable. The travel pattern has two main components, namely time and location. For example, during each working day, between the hours of six and eight in the morning, a commuter could be predictably at approximately the same location at approximately the same time. Sometimes, there could be significant variability in the exact moment when a commuter starts his/her trip, but once the trip has started, the intervals of time between the moments when the commuter reaches given locations can be fairly constant. Therefore, assuming that the commuter carries a powered-on mobile station on him/her and follows a known traveling pattern, the locations where the mobile station would register and the times of those registrations are highly predictable, within a reasonably small margin of error. In other words, the predictable commuting pattern of the mobile user can be translated into a predictable pattern of registrations of the associated mobile station. A predictable pattern of registrations can be encoded as a pre-defined registration plan, known to both network and mobile station, and making the full signaling unnecessary. 
　　　　According to this invention, a communication system that provides services from a plurality of base stations, grouped in registration zones, to a mobile station, includes a method of pre-registering the mobile station according to a predefined plan. The pre-registration of the mobile station is a substitute for zone-based registration of the mobile station. As a result, the mobile station is not required to repetitively register its location with base stations, thus, conserving its battery power. In addition, the signaling load on the network is also reduced. 
　　　　Both the network and the mobile station must be able to determine the time of day and day of the week fairly accurately and have copies of the predefined registration plan. In general multiple registration plans for the same mobile station are available, corresponding to different days of the week, time of the day and the initial registration zone in the plan. The mobile station becomes aware of its current location in terms of a registration zone identity, by receiving and decoding the local overhead messages. If the received registration zone identification matches the registration zone identification (id) in the predefined plan for the current time of day, the mobile station will consider itself to be on schedule and will not register. Otherwise, the mobile station will consider itself to have deviated from the plan and will register immediately. When such an action occurs the mobile effectively switches registration plans. If the new zone matches an existing registration plan for which the time-of-day and day-of-the-week combination also matches, that new plan will be selected in lieu of the old one. If multiple plans match, one or the first plan in the set will be selected. If no plan matches, a registration in the current registration zone for the time of day and day of week, the mobile effectively selects thedefaultplan. The default plan is a plan which does not match any registration zones, having the effect that the mobile station must register in each zone in which it is physically present but in which it is not currently registered. 」（第６頁第１行〜第７頁第１６行）
　
＜訳＞
　セルラおよびＰＣＳフォン・ユーザの大多数は通勤者である。かかる移動機ユーザは、例えば、非常に規則的かつ反復的なパターンにしたがって自宅から職場に通勤し、帰宅する。電車通勤者は、典型的に、非常に正確な予定を有する。車で通勤する人は、その通勤パターンにおける時間変量が多いが、それでもなおそのパターンは予測可能である。移動パターンは、２つの主要成分、即ち、時間および場所を有する。例えば、各勤務日の間、朝６時および８時の間に、ある通勤者はほぼ同じ時刻にほぼ同じ場所にいることは予測可能である。ときには、通勤者が彼／彼女の通勤を開始する正確な時間には大きなばらつきがある可能性もあるが、一旦通勤を開始したなら、通勤者が所与の場所に到着する時点間の時間間隔はかなり一定している可能性が高い。したがって、通勤者が、移動局の電源を入れたまま携行し、既知の移動パターンに従うと仮定すると、移動局が登録する場所およびこれらの登録の時刻は、合理的に小さい誤差マージン内で正確に予測可能である。言い換えると、移動機ユーザの予測可能な通勤パターンは、関連する移動局の登録の予測可能なパターンに変換することができる。予測可能な登録パターンは、ネットワークおよび移動局双方に既知の既定登録計画としてエンコードされ、シグナリング全体が不要となる。
　本発明によれば、登録ゾーンに集合化された複数の基地局から移動局にサービスを提供する通信システムは、既定計画にしたがって移動局を予備登録する方法を含む。移動局の予備登録は、移動局のゾーン基準登録の代案である。その結果、移動局は、その場所を繰り返し基地局に登録する必要がなくなり、したがってそのバッテリ電力を保存する。加えて、ネットワークに対するシグナリング負荷も減少する。
　ネットワークおよび移動機双方は、非常に正確に一日の時刻および曜日を判定し、既定登録計画のコピーを有することができなければならない。一般に、計画内の異なる曜日，時間，および初期登録ゾーンに対応して、多数の登録計画が同じ移動局に対して得られる。移動局は、ローカル・オーバーヘッド・メッセージを受信しデコードすることにより、登録ゾーンのアイデンティティに関してその現在地を把握する。受信した登録ゾーン識別が、現在時刻に対する既定計画における登録ゾーン識別（ｉｄ）と一致した場合、移動局はそれ自体が予定に沿っていると見なし、登録を行なわない。そうでない場合、移動局は、それ自体が計画から逸脱していると見なし、直ちに登録する。かかるアクションが生じた場合、移動機は効果的に登録計画を切り替える。新たなゾーンが、既存の登録計画と一致し、それに対する時刻および曜日の組み合わせも一致した場合、古い計画の代わりに、その新しい計画を選択する。多数の計画が一致した場合、その集合における１つまたは最初の計画を選択する。時刻および曜日に対する現登録ゾーンにおける登録と一致する計画がない場合、移動局は効果的に「デフォルト」計画を選択する。デフォルト計画とは、いずれの登録ゾーンとも一致しない計画であり、移動局は、物理的に存在するが現在登録されていない各ゾーンにおいて、登録せざるを得なくなるという効果がある。
　
（エ）
「　　　　The timing in a registration plan can be adjusted dynamically, by requiring registration in certain zones and using the information providing by the time of the registration. For example, an initial registration caused by a mobile station entering a new registration zone can be used as a time base which will be added to all subsequent time intervals in the registration plan to form absolute times for the day. In effect, initial and occasional subsequent registrations can be used to synchronize the predefined plan to the actual movements of the subscriber unit. Since both the mobile station and the network are aware of the time of each registration, the registration plans in both the mobile station and the network can be updated simultaneously. 
　　　　When the interval of time, rather than the time base, allocated to a registration zone in a registration plan must be changed temporarily (e. g. during a traffic jam on a highway), the network may broadcast the changes in the overhead messages over the registration zone. Both network and mobile station may adjust the timing of the plan by multiplying the length of the interval of time by the broadcast factor, and updating the absolute times accordingly. 
　　　　Relatively small deviations in time from the registration plan by the mobile station can be compensated by wide paging zones and paging or re-paging in neighboring zones, all known techniques in use today. Deviations in location as well as large deviations in time from the registration plan will result in the mobile station performing a registration. The use of registrations for temporary time updates to the registration plan, sometimes explicitly required by the registration plan, ensures that most of the deviations will be small. 
　　　　In a preferred embodiment, the registration plans can be derived automatically, by recording the locations and timings of zone-based registrations over some observation period. Subsequently, well known statistical methods or other techniques such as neural networks can be used to discern regular patterns in the data. Once the patterns are found, they can be encoded as registration plans. Normally such work will be performed by the network and the final results, the registration plans, can be downloaded into the respective mobile stations. Alternatively, the mobile stations can derive the registration plans without direct network involvement, and then upload them into the network. Downloading and uploading data between the mobile stations and the network are well known in the art. For example, TIA/EIA/IS-683 is a standard specifying the setting of stored parameters over the air interface. Transaction processing-like signaling and encryption are used to ensure data integrity and confidentiality. Another alternative embodiment has the registration plans stored only in the mobile station and has it uploaded daily (or periodically, or occasionally) with the first registration signaling. Conversely, the registration plans can be stored only in the network to be downloaded occasionally to the mobile station as part of the signaling ensuing as a response to some registration. 
　　　　The mobile station may be in an idle mode or on an active call while traveling according to its pre-defined plan. In the active call mode, the mobile station is communicating constantly with the a base station. When the mobile station is on an active call, the pre-defined plan of pre-registration can be used to pre-allocate resources to the mobile station in one coverage area of the plurality of coverage areas in advance of a hand-off from another coverage area of the plurality of coverage areas. 
」（第８頁第７行〜第９頁第２５行）
　
＜訳＞
　登録計画におけるタイミングは、所定のゾーンにおいて登録を要求し、登録の時点までに与えられる情報を用いることによって、動的に調節可能である。例えば、新たな登録ゾーンに入ってきた移動局によって行われた初期登録を、時間基準として用い、これを登録計画内の後続の時間間隔全てに加算し、その日の絶対時刻を形成することができる。実際に、初期登録および場合によっては行われるその後の登録を用いて既定計画を加入者ユニットの実際の移動に同期させることができる。移動局およびネットワーク双方は各登録の時刻を知っているので、移動局およびネットワーク双方における登録計画は、同時に更新することができる。
　時間基準の代わりに、登録計画内において登録ゾーンに割り当てられた時間間隔を一時的に（例えば、高速道路上での交通渋滞の間）変更しなければならない場合、ネットワークは、登録ゾーン全体にわたって、オーバーヘッド・メッセージ内でその変更をブロードキャストすることができる。ネットワークおよび移動局双方は、時間間隔の長さをブロードキャスト係数と乗算し、それに応じて絶対時刻を更新することによって、計画のタイミングを調節することができる。
　移動局による登録計画からの比較的小さな時間ずれは、広いページング・ゾーンおよび近隣ゾーンにおけるページングまたは再ページングによって補償することができる。これらは、全て今日用いられている既知の技術である。登録計画からの場所のずれや大きな時間ずれが生じた場合、移動局は登録を行なうことになる。登録計画に対する一時的な時間更新のための登録の使用は、登録計画によってときとして明示的に要求され、殆どのずれが小さくなることを保証する。
　好適実施例では、ある観察期間におけるゾーン基準登録の場所およびタイミングを記録することによって、登録計画は自動的に得ることができる。続いて、既知の統計的方法またはニューラル・ネットワークのようなその他の技術を用いて、データの規則的パターンを識別することができる。一旦パターンを見出したなら、これらを登録計画としてエンコードすることができる。通常、かかる作業はネットワークによって行われ、最終的な結果、即ち、登録計画は、それぞれの移動局にダウンロードすることができる。あるいは、移動局は、直接的なネットワークの関与なく登録計画を得て、これらをネットワークにアップロードすることができる。移動局およびネットワーク間におけるデータのダウンロードおよびアップロードは、当技術分野では既知である。例えば、TIA/EIA/IS-683は、エア・インターフェースを介して格納パラメータの設定を指定する規格である。トランザクション処理状のシグナリングおよび暗号化を用いて、データの保全性および秘匿性を確保する。別の代替実施例は、移動局のみに格納した登録計画を有し、最初の登録シグナリングと共にそれを毎日（または周期的に、または時々）アップロードさせる。逆に、登録計画は、ネットワーク内にのみ格納しておく、ある登録に対する応答として行われるシグナリングの一部として、移動局に時々ダウンロードすることも可能である。
　移動局は、その既定計画にしたがって移動しているとき、アイドル・モードまたはアクティブ・コールにある可能性がある。アクティブ・コール・モードでは、移動局は常時基地局と通信を行なっている。移動局がアクティブ・コール状態にある場合、予備登録の既定計画を用いて、複数のカバレッジ・エリアの内１つのカバレッジ・エリア内にある移動局に、複数のカバレッジ・エリア内の別のカバレッジ・エリアからのハンド・オフに先立って、資源を予め割り当てることができる。
　
（オ）
「　　　　Referring to FIG. 1, a communication system 100 according to an embodiment of the invention is shown. Communication system 100 includes a plurality of base stations (BS) 111-113,121-122, and 131-134, and a plurality of mobile switching centers (MSC) 110,120, and 130, each in communication with at least one of the plurality of base stations 111-113,121-122, and 131-134 and at least in communication with one other mobile switching center in the plurality of mobile switching centers 110,120, and 130. Visitor location registrations (VLR) 199,198, and 197 are coupled to MSC 110,120, and 130 respectively. A mobile station 150 in a communication with at least one of the plurality of base stations 111-113,121-122, and 131-134 communicates its pre-defined registration plan 170, and at least one of the plurality of mobile switching centers 110,120, and 130 communicates pre-defined registration plan 170 to at least one other mobile switching center in the plurality of mobile switching centers 110,120, and 130 when mobile station (MS) 150 moves to a coverage area provided by one of the plurality of base stations 111-113,121-122, and 131-134 that is in communication with the other mobile switching center. In this example, for simplicity, but without affecting the more general situations, it can be assumed that a coverage area of a base station corresponds to a registration zone, The communication system may be a cellular or personal communication system. The mobile station is not required to register its location to a new base station when it moves to the coverage area that is provided by the new base station. 
　　　　To illustrate the process of pre-registration, beginning by a situation that the mobile station 150 is in communication with BS 111 which is connected to MSC 110, MS 150 communicates its pre-defined registration plan 170 to BS 111. Plan 170 is then communicated to MSC 110. Plan 170 consists of expected location and time of MS 150 when it travels throughout the communication system coverage areas. Since each coverage areas is serviced by a BS, plan 170 indicates the location and time when MS 150 is expected to be in the coverage area served by a specific BS. As shown in FIG. 1, the plan consists of nine base station pre-registrations, namely A-Ｉ. The pre-registration A is a pre-registration referred to BS 111, B to BS 112, C to BS 113, D to BS 121, E to BS 122, F to BS 131, G to BS 132, H to 133, and I to BS 134. Mobile station 150 is expected to travel among BSs 111-113,121-122, and 131- 134 according to plan 170. When MS 150 is at BS 113, MSC 110 communicates plan 170, or a remaining portion (subset) 172 of plan 170, to MSC 120 through connection 180 (e. g. an IS-41 connection). MSC 120 accordingly pre-register MS 150 to BSs 121 and 122. Similarly, when MS 150 is at BS 122, MSC 120 communicates plan 170, or a remaining portion 173 of plan 170, to MSC 130 through connection 190. MSC 130 accordingly pre-register MS 150 to BSs 131-134. MS 150 completes its travel when it reaches the coverage areas at BS 134. 」（第９頁第２６行〜第１１頁第５行）
　
＜訳＞
　第１図を参照し、本発明の実施例による通信システム１００を示す。通信システム１００は、複数の基地局（ＢＳ）１１１〜１１３，１２１〜１２２，１３１〜１３４，および複数の移動機交換局（ＭＳＣ）１１０，１２０，１３０を含む。各移動機交換局は、複数の基地局１１１〜１１３，１２１〜１２２，１３１〜１３４の少なくとも１つと通信状態にあり、更に複数の移動機交換局１１０，１２０，１３０内にある１つの別の移動機交換局と少なくとも通信状態にある。ビジタ・ロケーション登録（ＶＬＲ）１９９，１９８，１９７が、それぞれ、ＭＳＣ１１０，１２０，１３０に結合されている。複数の基地局１１１〜１１３，１２１〜１２２，１３１〜１３４の内少なくとも１つと通信状態にある移動局１５０は、その既定登録計画１７０を伝達し、移動機（ＭＳ）１５０が、他の移動機交換局と通信状態にある、複数の基地局１１１〜１１３，１２１〜１２２，１３１〜１３４の１つによって与えられるカバレッジ・エリアに移動する場合、複数の移動機交換局１１０，１２０，１３０の少なくとも１つは、既定登録計画１７０を、複数の移動機交換局１１０，１２０，１３０内の少なくとも１つの別の移動機交換局に伝達する。この例では、簡略化のため、しかしより一般的な状況には影響を及ぼすことなく、基地局のカバレッジ・エリアは登録ゾーンに対応すると仮定することができる。通信システムは、セルラまたは個人通信システムとすることができる。移動局は、新たな基地局が提供するカバレッジ・エリアに移動するときに、その場所を新たな基地局に登録する必要はない。
　予備登録のプロセスを例示するために、移動局１５０が、ＭＳＣ１１０に接続されているＢＳ１１１と通信状態にある状況から開始し、ＭＳ１５０はその既定登録計画１７０をＢＳ１１１に伝達する。次に、計画１７０はＭＳＣ１１０に伝達される。計画１７０は、ＭＳが通信システムのカバレッジ・エリア全域にわたって移動する際におけるＭＳ１５０の予測場所および時刻から成る。各カバレッジ・エリアはＢＳによって供与されるので、計画１７０は、ＭＳ１５０が特定のＢＳによって供与されるカバレッジ・エリア内にいると予期されるときの場所および時刻を示す。第１図に示すように、計画は９つの基地局予備登録、即ち、ＡないしＩから成る。予備登録「Ａ」は、ＢＳ１１１に対応する予備登録であり、「Ｂ」はＢＳ１１２に、「Ｃ」はＢＳ１１３に、「Ｄ」はＢＳ１２１に、「Ｅ」はＢＳ１２２に、「Ｆ」はＢＳ１３１に、「Ｇ」はＢＳ１３２に、「Ｈ」は１３３に、「Ｉ」はＢＳ１３４に対応する。移動局１５０は、計画１７０にしたがって、ＢＳ１１１〜１１３，１２１〜１２２，１３１〜１３４間を移動することが予期される。ＭＳ１５０がＢＳ１１３にある場合、ＭＳＣ１１０は計画１７０，または計画１７０の残り部分（サブセット）１７２を接続部１８０（例えば、ＩＳ−４１接続部）を介してＭＳＣ１２０に伝達する。ＭＳＣ１２０は、これに応じて、ＭＳ１５０をＢＳ１２１，１２２に予備登録する。同様に、ＭＳ１５０がＢＳ１２２にある場合、ＭＳＣ１２０は、計画１７０または計画１７０の残り部分１７３を接続部１９０を介してＭＳＣ１３０に伝達する。ＭＳＣ１３０は、これに応じて、ＭＳ１５０をＢＳ１３１〜１３４に予備登録する。ＭＳ１５０は、ＢＳ１３４におけるカバレッジ・エリアに到達したときに、その移動を完了する。
　
（カ）
「　　　　Referring to FIG. 2, a communication system 200 according to another embodiment of the invention is shown. Communication system 200 may be a cellular communication system. Communication system 200 includes a plurality of base stations (BS) 211-213,221-222, and 231-234, and a plurality of mobile switching centers (MSC) 210,220, and 230. Each of MSCs 210,220, and 230 is in communication with at least one of the plurality of base stations 211-213,221-222, and 231-234, and at least in communication with one other mobile switching center in the plurality of mobile switching centers 210,220, and 230. Visitor location registrations (VLR) 299,298, and 297 are coupled to MSCs 210,220, and 230 respectively. A mobile station 250 is in a communication with at least one of the plurality of base stations. In communication system 200, a home location registration (HLR) 290 accessible by the plurality of mobile switching centers 210,220, and 230 provides a pre-defined registration plan 270 of mobile station 250. When MS 250 travels in the coverage areas serviced by BSs 211-213,221-222, and 231-234, MS 250 is pre-registered according to registration plan 270 as a substitute for MS 250 explicit registration. For example, when MS 250 is in a coverage area serviced by a BS, such as BSs 211,212, and 213 associated with MSC 210, a portion (subset) 271 of plan 270 provides the travel pattern of MS 250 when it is in coverage areas serviced by BSs 211,212, and 213. MS 250 is then pre-registered according to portion 271 of plan 270. A portion 272 of plan 270 is dedicated to travel pattern of MS 250 when it is in coverage areas serviced by BSs 221, and 222. MS 250 is then pre-registered according to portion 272 of plan 270. Similarly, a portion 273 of plan 270 is dedicated to travel pattern of MS 250 when it is in coverage areas serviced by BSs 231,232, 233, and 234. MS 250 is then pre-registered according to portion 273 of plan 270. The HLR 290 divides the registration plan 270 into the subsets 271,272 and 273 and communicates those subsets of the registration plan to the mobile switching centers (or the associated visitor location registers) 210,220 and 230 respectively. As a result, mobile station 250 is not required to register its location to a new base station when it moves to the coverage that is provided by the new base station. 」（第１１頁第６行〜第１２頁第６行）
　
＜訳＞
　図２を参照し、本発明の別の実施例による通信システム２００を示す。通信システム２００は、セルラ通信システムとすることができる。通信システム２００は、複数の基地局（ＢＳ）２１１〜２１３，２２１〜２２２，２３１〜２３４，および複数の移動機交換局（ＭＣＳ）２１０，２２０，２３０を含む。ＭＳＣ２１０，２２０，２３０の各々は、複数の基地局２１１〜２１３，２２１〜２２２，２３１〜２３４の内少なくとも１つと通信状態にあり、複数の移動機交換局２１０，２２０，２３０内の別の１つの移動機交換局と少なくとも通信状態にある。ビジタ・ロケーション登録（ＶＬＲ）２９９，２９８，２９７が、それぞれ、ＭＳＣ２１０，２２０，２３０に結合されている。移動局２５０は、複数の基地局の少なくとも１つと通信状態にある。通信システム２００では、複数の移動機交換局２１０，２２０，２３０によってアクセス可能なホーム・ロケーション登録（ＨＬＲ）２９０が、移動局２５０の既定登録計画２７０を提供する。ＭＳ２５０がＢＳ２１１〜２１３，２２１〜２２２，２３１〜２３４によって供与されるカバレッジ・エリア内を移動する場合、ＭＳ２５０は、ＭＳ２５０の明示的登録の代わりとして、登録計画２７０にしたがって予備登録される。例えば、ＭＳ２５０が、ＭＳＣ２１０と連動するＢＳ２１１，２１２，２１３のようなＢＳによって供与されるカバレジ・エリア内にあるとすると、ＭＳ２５０がＢＳ２１１，２１２，２１３によって供与されるカバレッジ・エリア内にある場合、計画２７０の一部分（サブセット）２７１がＭＳ２５０の移動パターンを与える。次いで、ＭＳ２５０は、計画２７０の一部分２７１にしたがって予備登録される。計画２７０の一部分２７２は、ＭＳ２５０がＢＳ２２１，２２２によって供与されるカバレッジ・エリア内にいる場合における、ＭＳ２５０の移動パターン専用である。したがって、ＭＳ２５０は、計画２７０の一部分２７２にしたがって予備登録される。同様に、計画２７０の一部分２７３は、ＭＳ２５０がＢＳ２３１，２３２，２３３，２３４によって供与されるカバレッジ・エリア内にある場合における、ＭＳ２５０の移動パターン専用である。したがって、ＭＳ２５０は、計画２７０の一部分２７３に応じて予備登録される。ＨＬＲ２９０は、登録計画２７０をサブセット２７１，２７２，２７３に分割し、これら登録計画のサブセットを移動機交換局（または関連するビジタ・ロケーション・レジスタ）２１０，２２０，２３０にそれぞれ伝達する。その結果、移動局２５０は、新たな基地局によって提供されるカバレッジに移動する際に、その場所を新たな基地局に登録する必要はない。
　
（ク）
「　　　　　　　　　　　　　　CLAIMS
　　　　1. In a communication system providing communication services from a plurality of base stations in a corresponding plurality of coverage areas to a mobile station, a method comprising the step of pre-registering said mobile station with said plurality of base stations according to a pre-defined plan including a pattern of location and time of said mobile station expected to be in said plurality of coverage areas. 」（第１４頁第１行〜同頁第７行）
　
＜訳＞
　　　　　　　　　　　　　特許請求の範囲
１．対応する複数のカバレッジ・エリア内の複数の基地局から移動局に通信サービスを提供する通信システムにおいて、前記移動局が前記複数のカバレッジ・エリア内において予期される場所および時刻のパターンを含む既定計画にしたがって、前記複数の基地局に前記移動局を予備登録する段階から成ることを特徴とする方法。
　
（ケ）
「　　　9. A communication system comprising:
　　　　a plurality of base stations;
　　　　a plurality of mobile switching centers, each in communication with at least one of said plurality of base stations and at least in communication with one other mobile switching center in said plurality of mobile switching centers; and
　　　　a mobile station in a communication with at least one of said plurality of base stations communicating a pre-defined registration plan of said mobile station, and at least one of said plurality of mobile switching centers communicating said pre-defined registration plan to at least one other mobile switching center in said plurality of mobile switching centers when said mobile station moves to a coverage area provided by one of said plurality of base stations that is in communication with said other mobile switching center. 」（第１５頁第２行〜第１３行）
　
＜訳＞
９．通信システムであって：
　複数の基地局；
　複数の移動機交換局であって、各々前記複数の基地局の少なくとも１つと通信状態にあり、かつ前記複数の移動機交換局の内別の１つの移動機交換局と少なくとも通信状態にある、移動機交換局；および
　移動局であって、該移動局が、他の移動機交換局と通信状態にある前記複数の基地局の１つによって提供されるカバレッジ・エリアに移動するとき、前記複数の基地局の少なくとも１つと通信して前記移動局の既定登録計画を伝達し、更に前記複数の移動機交換局の少なくとも１つと通信して前記複数の移動機交換局の内少なくとも１つの前記他の移動機交換局に前記既定登録計画を伝達する、移動局；
　から成ることを特徴とする通信システム
　
　
　したがって、上記引用例１には、以下の発明（以下、「引用例１発明」という。）が記載されている。
　　
　「所定のカバレッジ・エリア（ゾーン）によってセルラ通信サービスを提供する基地局を複数接続し、当該複数の基地局による所定のカバレッジ・エリアにおける移動局の初期登録と登録の更新を行う移動機交換局を有するセルラ通信システムであって、
　前記移動局は、セルラ通信システムのカバレッジ・エリアを移動する際における当該移動局の予測場所および時刻から成る既定登録計画を、予め基地局を介して前記移動機交換局に伝達し、
　前記移動機交換局は、伝達された移動局の前記既定登録計画を、特定の基地局によって供与されるカバレッジ・エリア内にいると予期される場所および時刻として予備登録するビジタ・ロケーション・レジスタ（ＶＬＲ）を備え、
　前記移動局は、現在時刻に対する現在地が既定登録計画の予定から逸脱している場合は、新たな既定登録計画を前記移動機交換局に伝達し、前記移動機交換局は、伝達された移動局の既定登録計画を予備登録することで登録を更新し、また、前記移動局は、現在時刻に対する現在値が既定登録計画の予定に沿っている場合は、新たな既定登録計画を伝達することなく、前記移動機交換局は、移動局からの新たな予備登録は行わないものであり、
　前記予備登録の既定登録計画を用いて、複数のカバレッジ・エリアの内１つのカバレッジ・エリアにおいて、別のカバレッジ・エリアからのハンド・オフに先立って、カバレッジ・エリア内にある移動局に資源を予め割り当てることができ、
　前記移動局は、所定の時刻に所定の登録ゾーンにいることで前記既定登録計画を伝達し予備登録を行うセルラ通信システム。」　
　
３．対比
　　
　本願発明と引用例１発明とを対比すると、引用例１発明に記載された「移動局」、「登録の更新」及び「セルラ通信システム」は、それぞれ本願発明の「移動局」、「登録更新」及び「移動通信システム」に相当する。
　
　引用例１発明に記載された、複数の基地局による所定のカバレッジ・エリア（ゾーン）は、前記移動局がセルラ通信サービスを受けるエリアのことであるから、本願発明における「所定サービスエリア」に相当する。
　
　引用例１発明に記載された「既定登録計画」は、移動局がセルラ通信システムのカバレッジ・エリアを移動する際における移動局の予測場所及び時刻からなる情報であって、予め移動局から移動機交換局に伝達する情報であるから、本願発明における、移動局から前もって通知する、所定時刻における「移動予定情報」に相当する。また、引用例１発明に記載された移動局は、当該既定登録計画を移動機交換局に伝達することから、当該既定登録計画を送信する手段を備えていると言える。したがって、当該送信する手段は、本願発明における予定通知手段に相当する。
　
　引用例１発明に記載された「初期登録」は、移動局が、所定の時刻に所定の登録ゾーンにいることで、前記移動局の予測場所及び時刻からなる既定登録計画を伝達して行う登録であるから、本願発明における「新規位置登録」に相当する。
　
　引用例１発明に記載された「移動機交換局」は、移動局の初期登録と登録の更新を行い、移動局の予測場所および時刻から成る前記既定登録計画を、予め基地局を介して伝達されることから、本願発明に記載された、移動局の新規位置登録と登録更新を行い、移動局から、所定時刻における移動予定情報を前もって通知される「位置管理エージェント」に相当する。
　
　引用例１発明に記載された「ビジタ・ロケーション・レジスタ（ＶＬＲ）」は、移動機交換局に備えられ、伝達された移動局の前記既定登録計画を、特定の基地局によって供与されるカバレッジ・エリア内にいると予期される場所および時刻として予備登録するものであるから、本願発明における、位置管理エージェントに備えられ、通知された移動局の移動予定情報を所定時刻と該時刻における移動予定先位置登録エリアとを対応して登録する「位置登録データベース」に相当する。
　
　引用例１発明に記載の移動機交換局は、引用例１の上記記載事項（オ）に記載されるように、接続する複数の基地局による所定のカバレッジ・エリアの内、特定の基地局のカバレッジ・エリア内にいると予期される場所および時刻を既定登録計画として予備登録するものであるから、引用例１発明に記載の、複数の基地局による所定のカバレッジ・エリアの内、予備登録される移動局の予期される場所である「特定の基地局のカバレッジ・エリア」は、本願発明における、所定サービスエリア内の各「位置登録エリア」に相当する。
　また、引用例１発明に記載の移動機交換局は、ビジネス・ロケーション・レジスタ（ＶＬＲ）に予備登録された既定登録計画を用いて、複数のカバレッジ・エリアの内１つのカバレッジ・エリアにおいて、別のカバレッジ・エリアからのハンド・オフに先立って、カバレッジ・エリア内にある移動局に資源を予め割り当てることから、移動局に対する無線通信の資源を割り当てて管理する手段を備えていると言える。したがって、引用例１発明に記載された上記移動機交換局を備えるセルラ通信システムは、本願発明に記載された「所定サービスエリア内の各位置登録エリアに、その無線チャネル数を管理するリソース管理エージェントを備え」る移動通信システムとは、「所定サービスエリア内の各位置登録エリアに、その無線資源を管理するリソース管理エージェントを備え」る点で一致する。
　さらに、上記引用例１発明に記載の上記移動機交換局により、カバレッジ・エリアのハンド・オフに先立って、カバレッジ・エリア内にある移動局に資源を予め割り当てることは、カバレッジ・エリア内に割り当てる無線資源を適応的に制御すると言えることから、引用例１発明に記載の上記移動機交換局は、本願発明に記載されたリソース管理エージェントが、「位置登録データベースに登録された移動予定情報を基に、移動元の位置登録エリアにおける無線チャネル減少数と移動先の位置登録エリアにおける無線チャネル増加数が同じになるように、前記位置管理エージェントからの指示にしたがって前記移動元および移動先の位置登録エリアに割り当てる無線チャネル数を適応的に制御」する点とは、「位置登録データベースに登録された移動予定情報を基に、位置登録エージェントからの指示にしたがって移動先の位置登録エリアに割り当てる無線資源を適応的に制御」する点で一致する。
　
　引用例１発明に記載の移動局は、引用例１の上記記載事項（エ）に記載されるように、当該既定登録計画を、直接的なネットワークの関与なく自動的に得ることができるものであるから、移動局は自ら当該既定登録計画の管理を行う手段を有すると言える。したがって、当該管理を行う手段は、本願発明における予定管理手段に相当する。また、引用例１発明に記載の移動局が、所定の時刻に所定の登録ゾーンにいることで、前記既定登録計画を移動機交換局に伝達することは、移動局が、自動的に当該既定登録計画を伝達することに他ならないから、本願発明における予定管理手段が、自動的に移動予定情報を位置管理エージェントに通知することと一致する。
　
　以上のことから、本願発明と引用例１発明は、以下の点で一致ないし相違する。
　　
＜一致点＞
　「所定サービスエリアにおける移動局の新規位置登録と登録更新を行う位置管理エージェントを有する移動通信システムであって、
　前記移動局から、所定時刻における移動予定情報を前もって前記位置管理エージェントに通知する予定通知手段と、
　前記位置管理エージェントに備えられ、通知された移動局の前記移動予定情報を前記所定時刻と該時刻における移動予定先位置登録エリアと対応して登録する位置登録データベースとを備え、
　前記所定サービスエリア内の各位置登録エリアに、その無線資源を管理するリソース管理エージェントを備え、
　前記リソース管理エージェントは、前記位置登録データベースに登録された前記移動予定情報を基に、前記位置管理エージェントからの指示にしたがって移動先の位置登録エリアに割り当てる無線資源を適応的に制御し、および、
　前記予定通知手段は前記移動局に備えられた予定管理手段であり、該予定管理手段が自動的に前記移動予定情報を前記位置管理エージェントに通知する
　ことを特徴とする移動通信システム。」
　　
＜相違点＞
　相違点１
　本願発明の位置管理エージェントは、位置登録データベースを参照し、前記所定時刻において前記所定サービスエリア内の移動局の位置登録エリアを更新するのに対し、引用例１発明には、移動機交換局が、ビジタ・ロケーション・レジスタ（ＬＶＲ）を参照して、所定時刻において所定のカバレッジ・エリア内の移動局の位置登録エリアを更新するとの記載がない点。
　
　相違点２
　リソース管理エージェントが所定サービスエリア内の各位置登録エリアにおいて管理し、適応的に制御する無線資源は、本願発明では、無線チャネル数であるのに対し、引用例１発明には、無線チャネル数との記載は無い点。
　
　相違点３
　無線資源を適応的に制御するリソース管理エージェントは、本願発明では、移動元の位置登録エリアにおける無線チャネル減少数と移動先の位置登録エリアにおける無線チャネル増加数が同じになるように、移動元および移動先の位置登録エリアに割り当てる無線チャネル数を制御するのに対し、引用例１発明では、移動先の位置登録エリアに割り当てる無線資源を適応的に制御するものの、移動元の位置登録エリアにおける無線チャネル減少数と移動先の位置登録エリアにおける無線チャネル増加数が同じになるように、移動元の移動登録エリアを含む無線チャネル数の制御については記載されていない点。
　
４．当審の判断
　　
　上記相違点について検討する。
　　
　相違点１について
　引用例１発明には、移動局が、現在時刻に対する現在値が既定登録計画の予定から逸脱せずに、予定に沿っている場合は、新たな既定登録計画を伝達することなく、移動機交換局は、移動局からの新たな予備登録は行わないことが記載されているが、これはすなわち、移動局の実際の時刻と位置が、移動局の予測場所および時刻からなる既定登録計画の予定通りであった場合、新たな予定の既定登録計画により予備登録の内容を変更して更新する必要がないことを意味することは明らかである。そして、引用例１の上記記載事項（ア）にあるように、セルラ通信システムでは、典型的に、移動局はその場所を最も近い基地局に登録することが要求されるものであるから、引用例1発明に記載された移動機交換局において、ビジタ・ロケーション・レジスタ（ＬＶＲ）に予備登録された移動局の既定登録計画が、実際の時刻において予定通りの場所であった場合、その予備登録の内容を、実際の場所および位置として登録することで、本願発明と同様に、位置登録データベースを参照し、前記所定時刻において前記所定サービスエリア内の移動局の位置登録エリアを更新するようにすることは、当業者が容易に想到し得ることである。
　
　相違点２、３について
　原査定の拒絶の理由に引用された特開平９−４６７５３号公報（以下、「引用例２」という。）には、図面とともに、以下の事項（コ）〜（シ）が記載されている。
　
（コ）
「【０００１】
【発明の属する技術分野】この発明は、自動車電話や携帯電話など移動通信に使用される通信方法及び移動通信装置に関する。
【０００２】
【従来の技術】自動車電話や携帯電話等の移動通信は、移動局相互間の通信及び移動局と固定基地局との間でアナログあるいはデジタルの通信を行うもので、特にセルラー（celluler）方式の採用によって大きな発展をなしている。セルラー方式は広い領域を複数基地局が夫々分担するサービスエリア（以下セルとも称する）でカバーし、一定距離だけ離れた基地局同志で、同一周波数を繰り返し使用することによって周波数利用効率を上げるものである。特に、一つの基地局がカバーするセルの半径を小さくすればするほど、より近い距離で周波数を繰り返せるので周波数利用率が向上する。
【０００３】セルラー方式による移動通信方法では、ある基地局がカバーするセル内で通信中の移動局が、他の基地局のセルへ移動して、引続き通信を継続する場合には、移動局はその移動先の他の基地局から通信チャネルの割当てを受けることが必要である。従って、移動先の基地局から新たな通信チャネルの割当てがなければ、通信は切断されるが、割当てを受けることができれば、ハンドオフと称し通話中チャネルの切替えが必要となる。通信チャネルの割当て操作は、従来は音声通話のようにリアルタイム呼を対象として考慮されていた。」（第２頁第１欄〜第２欄）
　
（サ）
「【００１５】
【発明の実施の形態】以下、この発明による移動通信方法の一実施の形態を図面を参照して詳細に説明する。
【００１６】図１はこの発明による移動通信方法の第一の実施の形態を示す概略構成図である。即ち、図１は、複数の基地局ＢＳ１〜ＢＳ６が互いに有線あるいは無線で接続され通信網を構成し、一つの基地局ＢＳ１をカバーするセルＥ１内で、移動局ＭＳ１が基地局ＢＳ１を介して移動通信中であることを示している。いま移動局ＭＳ１が、矢印の点線で示すように、隣接する次の基地局ＢＳ２がカバーするセルＥ２内に移動したとき、もし基地局ＢＳ２に空きチャネルがない場合には、通信回線は強制切断される。
【００１７】そこで、通信回線の切断を回避するため、移動局ＭＳ１が基地局ＢＳ１内（セルＥ１）にあるとき、移動先情報つまり移動先の予定場所並びに予定到達時刻などのスケジュールを予め基地局ＢＳ１に伝送する。移動局ＭＳ１から移動先情報を受けた基地局ＢＳ１では、その移動先情報に基づき、移動先をカバーエリアとする基地局（ＢＳ２）を予測し、その予測された基地局ＢＳ２に先の移動先情報を伝送する。
【００１８】移動局ＭＳ１から基地局ＢＳ１へは、移動スケジュールなどの移動先情報を申告パラメータとして送信する。基地局ＢＳ１では、図２に具体的回路構成を示したように、移動局ＭＳ１からの申告パラメータをアンテナ１を介して送受信部２で受信した後、申告パラメータ処理部３において解読する。制御部４はその申告パラメータの内容が自基地局ＢＳ１宛てかどうかを調べ、自基地局ＢＳ１宛ての場合はチャネル予約部５に報告する。チャネル予約部５は、チャネル割当処理部６の割当処理結果を受けて、申告パラメータの内容に従ったチャネルを予約しておく。
【００１９】もし、申告パラメータの内容が他の基地局宛ての場合には、制御部４は交換局８との間のインターフェース部７を介して、交換局８に送信する。交換局８では、伝送された申告パラメータを基地局（ＢＳ）インターフェース８１を介して、交換処理部８２に入力する。交換処理部８２では、制御部８３の制御のもとに、パラメータ処理部８４で申告パラメータに従った交換処理を行い、交換処理部８２からＢＳインターフェース８１を介して、対応する他の基地局へ伝送する。そして、申告パラメータを受信した他の基地局では、その内容に応じてチャネルの予約を行う。なお、交換処理部８２には別途公衆網インターフェース８５が接続され、接続された公衆網回線を介して例えば商用データベースなどを入手できるように構成されている。」（第３頁第３欄〜第４欄）
　
（シ）
「【００２１】このように、予め移動通信中の移動局ＭＳ１から次のセルでの通信予約を行うことによって、通知を受けた基地局ＢＳ２は、セルＥ２内に入ってくると予想される時刻に優先的にチャネル確保を行うので、移動局ＭＳ１は確保されたチャネルの割当てを受けることができる。しかし、予定が変わり、移動局ＭＳ１が予想された基地局ＢＳ２のセル内に現れなかった場合には、到達予想時間から一定時間Ｔ１だけチャネル確保を行い、その時間Ｔ１経過後はそのチャネルを解放することによって、無駄のない効率的なチャネル使用が可能である。
【００２２】また、もし基地局ＢＳ１のセル内での移動局ＭＳ１の移動速度が、ある値ＳＰ１よりも速い場合は、次の移動局ＭＳ２を通過する時間が短いことも考えられるので、移動局ＭＳ１が進行すると予想されるその先のセル（例えば、Ｅ６）の基地局ＳＢ６に通知し、同様な手順で予め通信チャネルを確保することもできる。
【００２３】なお、移動先予定基地局として指定された基地局ＢＳ２で、チャネル確保を開始する時刻は、移動局ＭＳ１からの移動先情報に基づく現在の基地局ＢＳ１からの予約情報を受信した時刻、あるいは該当移動局ＭＳ１がセル内に到達すると予測される時刻よりも時間Ｔ２だけ早い時刻とし、もし移動局ＭＳ１が予想時刻にセル内に現れなかった場合には、上述のように予定時刻から時間Ｔ１だけ遅れてチャネル確保を終了させる。このようにして、チャネル利用の効率化を図ることができる。
【００２４】上記実施形態においては、基地局で一移動局ＭＳ１にチャネル確保がなされれば、他の移動局（例えばＭＳ２）にはそのチャネルの利用許可は下りないことになる。しかし、チャネルの利用効率の点を考慮すると、移動局ＭＳ１の使用に支障がない範囲で多数の移動局が利用できることが望ましい。」（第４頁第５欄）
　
　したがって、上記引用例２には、以下の発明が記載されている。
　
　「移動局ＭＳ１が基地局ＢＳ１のカバーするサービスエリアであるセルＥ１から基地局ＢＳ２のカバーするセルＥ２に向かって移動中であるとき、移動局ＭＳ１は移動先情報、つまり移動先の予定場所並びに予定到達時刻などのスケジュールを予め基地局ＢＳ１に伝送し、当該移動先情報を受けた基地局ＢＳ１は、受信した移動先情報を自局で解読するとともに、当該移動先情報に基づき予測された移動局ＭＳ１の次の移動先であるセルＥ２をカバーする基地局ＢＳ２に当該移動先情報を伝送し、
　基地局ＢＳ１およびＢＳ２は、受信した前記移動先情報の内容に応じて自局のカバーするセルにおける移動局ＭＳ１に割り当てるためのチャネルの予約を行い、移動先のセルにおけるチャネル確保を予め行うセルラー方式による移動通信方法。」
　
　そして、上記引用例２の図１に示されるように、引用例２に記載の発明は、１つの移動局ＭＳ１のみならず、移動局ＭＳ２等の他の移動局についても同様の制御、すなわち移動局ＭＳ２からの移動先情報に応じて移動先のセルにおけるチャネルの予約も行うものであることは明らかであるから、引用例２には、移動先情報を伝送する複数の移動局に対応して、自局のカバーするサービスエリアであるセルにおける複数のチャネルの予約を行うことで、チャネル数を管理する技術が記載されていると言える。
　したがって、引用例１発明に記載されたセルラ通信システムの特定の基地局のカバレッジ・エリアにおいて管理し、適応的に制御する無線資源として、引用例２に記載された、基地局がカバーするサービスエリアにおける移動局に割り当てるためのチャネル数を管理する技術を適用し、本願発明と同様に、リソース管理エージェントにおいて、所定サービスエリア内の各位置登録エリアに、その無線チャネル数を割り当て、管理するように構成することは、当業者が容易に想到し得ることである。
　
　また、引用例２には、移動局の移動先のサービスエリアにおいてチャネルを予約して割り当てることは記載されているものの、移動元のサービスエリアにおけるチャネルの減少数について記載されていないが、移動した後の移動元サービスエリアにおいて、移動局が使用を終えたチャネルを確保しておく必要がないことは明らかなことであって、当該使用を終えたチャネルは、移動した後で解放されることは、引用例２においても自明な事項である。また、１つの移動局が移動元のサービスエリアから移動先のサービスエリアに移動すれば、移動元において使用を終えたチャネルの解放と、移動先において使用するチャネルの確保が１対１の同数で生じることは同じく自明な事項である。
　したがって、引用例１発明に記載された、移動先の位置登録エリアであるカバレッジ・エリアに割り当てる無線資源の適応的な制御において、上記引用例２に記載された、上記自明な事項を含む、移動局の移動先の基地局がカバーするサービスエリアにおいてチャネルを予約して割り当てる技術を適用し、本願発明と同様に、移動元の位置登録エリアにおける無線チャネル減少数と移動先の位置登録エリアにおける無線チャネル増加数が同じになるように、移動元および移動先の位置登録エリアに割り当てる無線チャネル数を制御するように構成することは、当業者が容易に想到し得ることである。
　
　そして、本願発明のように構成したことによる効果も、上記引用例１発明、引用例２に記載された技術及び自明な事項により予測できる程度のものである。
　　
　　
第４．むすび
　　
　以上のとおり　本願発明は、上記引用例１発明、引用例２に記載された技術および自明な事項に基づいて、当業者が容易に発明をすることができたものであるから、特許法第２９条第２項の規定により特許を受けることができない。
　したがって、本願は、他の請求項について論及するまでもなく、拒絶すべきものである。
　　
　よって結論のとおり審決する。